(57)【特許請求の範囲】
【請求項１】
外部からの煙を流入させると共に外部からの直接光を遮断する複数の壁部を備えたハウジングと、
前記ハウジングの内部に光を照射する発光部と、
前記ハウジングの内部に流入した煙による前記光の散乱光を受光する受光部とを備え、
前記ハウジングを垂直壁に取り付けた状態において、前記壁部のうち少なくとも最下部に位置する壁部に、前記ハウジングの内部に侵入した埃を捕捉するポケット部を上方に向けて開口するように設けると共に、前記受光部を前記ポケット部に対して上方に位置するように設けてある光電式煙感知器。
【発明の詳細な説明】
【技術分野】
【０００１】
本発明は、外部からの煙を流入させると共に外部からの光の直接光を遮断する複数の壁部を備えたハウジングと、前記ハウジングの内部に光を照射する発光部と、前記煙感知室の内部に流入した煙による前記光の散乱光を受光する受光部とを備えた光電式煙感知器に関する。
【背景技術】
【０００２】
従来、光電式煙感知器は、ハウジングによって形成される煙検知室に、当該煙検知室内に光を照射する発光部と光を受光する受光部とを設け、煙が煙検知室内に流入した場合に当該煙によって光が散乱することを利用し、この散乱光を検出することで煙を検知する。
【０００３】
このような光電式煙感知器では、外部からの煙はハウジング内に通すが外部からの光を遮断する複数のラビリンス壁等を設けて、受光部における煙による散乱光の検出精度を高めると共に、壁部の外側には防虫網を設けて煙検知室に虫等が入り込むことによる誤検知を防止している(例えば、特許文献１参照)。
【０００４】
【特許文献１】特開平９−２３１４８５号公報
【発明の開示】
【発明が解決しようとする課題】
【０００５】
しかし、前記従来の光電式煙感知器に用いられる防虫網には、煙検知性能に支障がないように煙の流入に影響がない程度の隙間が設けられている。このため、この隙間から小さな埃が煙検知室内に侵入する場合があり、一旦侵入した埃は防虫網によって煙検知室から出難くなっていた。煙検知室内に埃が侵入すると、発光部が照射した光を乱反射させる場合があり、乱反射した光の強度は煙による散乱光の強度と同程度であるため、誤検知を引き起こすという問題があった。
【０００６】
また、煙検知室内に侵入した埃は、発光部が照射した光が当たらない位置に堆積する場合もある。この場合でも外部から空気等が煙検知室内に流入すると、この空気等によって埃が再度煙検知室内に舞い上がり、発光部からの光を乱反射させる位置に移動して誤検知を引き起こす虞があった。
【０００７】
本発明は、上記課題に鑑みてなされたものであり、誤検知し難い光電式煙感知器を提供することを目的とする。
【課題を解決するための手段】
【０００８】
上記目的を達成するための本発明に係る光電式煙感知器の特徴構成は、外部からの煙を流入させると共に外部からの直接光を遮断する複数の壁部を備えたハウジングと、前記ハウジングの内部に光を照射する発光部と、前記ハウジングの内部に流入した煙による前記光の散乱光を受光する受光部とを備え、前記ハウジングを垂直壁に取り付けた状態において、前記壁部のうち少なくとも最下部に位置する壁部に、前記ハウジングの内部に侵入した埃を捕捉するポケット部を上方に向けて開口するように設けると共に、前記受光部を前記ポケット部に対して上方に位置するように設けた点にある。
【０００９】
ハウジングを壁に取り付けた状態では、ハウジングの内部に侵入した埃は下方に堆積し易い。
このため、本構成のように、ハウジングを壁に取り付けた状態において、少なくとも最下部に位置する壁部に、ポケット部を上方に向けて開口するように設けることにより、埃を捕捉して埃による光の乱反射を防止することができ、誤検知を防止することができる。
【００１０】
ポケット部に捕捉された埃は、外部からの空気等がハウジングの内部に流入した場合でも、ポケット部によって空気等から遮断できる。このため、埃がハウジングの内部に舞い上がるのを防止することができる。
【００１１】
また、ハウジングを壁に取り付けた状態で使用する場合には、埃は上方からハウジングの内部に侵入し易い。このため、最下部に設けたポケット部に対して上方に受光部を設けることにより、受光部が埃除けの機能を発揮して、埃がハウジングの内部に侵入し難くすることができる。
【発明を実施するための最良の形態】
【００１２】
以下に、本発明に係る光電式煙感知器の一実施形態について図面を参照して説明する。ここでは、本発明を火災警報器１における煙検知部２に適用した場合について説明する。
【００１３】
本実施形態に係る火災警報器１は、図２に示すように、正面に、煙を検知する煙検知部２と、音声やブザー等の警報音を発する警報スピーカ３と、ＬＥＤ等による光を点灯または点滅する警報ランプ４とを備える。火災警報器１は、煙検知部２が煙を検知した時に、例えば、煙の濃度が予め設定した閾値より高いか低いかを判断し、煙の濃度が閾値を超えている場合に火災と判定して、警報スピーカ３から警報音を発し、警報ランプ４を点灯させる。火災警報器１には、警報停止ボタン５が設けてあり、これを操作することにより警報スピーカ３からの警報音を停止し、警報ランプ４を消灯することができるようになっている。また、火災警報器１の背面には、火災警報器１を壁材等に固定する取り付け部（図示しない）や、火災警報器１を駆動させる電池を収納する電池収納部（図示しない）等が設けてある。
【００１４】
煙検知部２は、図１に示すように、内部に煙を検知する煙検知室２２を有するハウジング２１を備える。ハウジング２１には、複数の鉤状の壁部２３が煙検知室２２の高さ方向の全長に亘って、煙検知室２２の周りを取り囲むように設けてある。これにより、煙検知室２２に外部から光を遮断しつつ外部からの煙が流入できるようになっている。それぞれの壁部２３はその端部を同一周方向に向けて設けてあり、壁部２３のうち火災警報器１を壁に取り付けた状態とした時に最下部となる位置に設けた壁部２３ａには、他の壁部２３と同じ高さの壁で形成され、上方に向けて開口するポケット部２３ｂが設けてある。壁部２３の外側には、金網等で構成される防虫網２４が設けてあり、煙検知室２２に虫等が入らないようにしてある。
【００１５】
本実施形態のような壁掛け式の火災警報器１では、煙検知室２２に侵入した埃は下方に堆積する。このため、このようなポケット部２３ｂを設けることにより煙検知室２２に侵入した埃を効率よく捕捉することができる。また、ポケット部２３ｂを形成する壁部２３ａの煙検知室２２の側の端部は他の煙検知室２２の側の壁部２３の端部と同一周方向を向くように設けてあり、図１における壁部２３ａの左側の壁部２２との間から流入する空気等はポケット部２３ｂとは反対の方向に流れ、図１における壁部２３ａの右側の壁部２２との間から流入する空気等はポケット部２３ｂの上方を通って流れるように構成してある。このため、外部から流入する空気等がポケット部２３ｂの内部に流入することがなく、一旦ポケット部２３ｂに捕捉した埃を舞い上がらせることはない。
【００１６】
本実施形態においては、ポケット部２３ｂの開口幅を受光素子２６の開口幅と同程度に設けてある。ポケット部２３ｂの開口幅は、煙の煙検知室２２への流入を妨げない範囲内で大きく形成することが好ましく、これにより埃を捕捉し易くなる。
【００１７】
ハウジング２１の内部には、煙検知室２２に近赤外線等の光を照射する発光部としての発光ダイオード等の発光素子２５と、煙検知室２２の光を受光する受光部としてのフォトダイオード等の受光素子２６とが、それぞれの光軸が煙検知室２２の内部で交差するように設けてある。また、発光素子２５と受光素子２６との間には遮光壁２７が設けてあり、発光素子２５から受光素子２６へ向かう直接光を遮断できるようになっている。このため、受光素子２６は、通常時には発光素子２５が発する光を受光することはなく、煙検知室２２に煙が流入した時にのみ煙による光素子２５が発する光の散乱光を受光できるようになる。煙検知部２は、この散乱光を検出することで煙の存在を検知できるようになっている。
【００１８】
受光素子２６は、ポケット部２３ｂに対し上方に位置するように配置してある。本実施形態のような壁掛け式の火災警報器１では埃は上方からハウジング２１の内部に侵入し易い。このため、受光素子２６とポケット部２３ｂとをこのように設けることにより、埃が煙検知室２２の内部に侵入し難くなる。尚、発光素子２６はポケット部２３ｂの上方に設けることは好ましくない。発光素子２５をポケット部２３ｂの上方に設けると、発光素子２５からの直接光がポケット部２３ｂに捕捉された埃に当たり、乱反射し易くなる。
【００１９】
このように、本実施形態に係る火災警報器１では、煙検知室２２の内部に埃を侵入し難くすると共に、侵入した埃をポケット部２３ｂによって捕捉することができるため、埃によって発光素子２５が照射した光が乱反射することを防止でき、誤検知を防止することができる。
【００２０】
尚、その他の煙検知部２を備えた火災警報器１の構成、機能については、従来公知の火災警報器と同様である。
【００２１】
〔別実施形態〕
上記の実施形態においては、ポケット部２３ｂを１つ設けた例を説明したが、複数設けてもよい。この場合、最下部の位置に加え、壁部２３の形状等によって生じる気流から埃がより堆積し易い任意の位置に設けることができる。
【００２２】
上記の実施形態においては、ポケット部２３ｂを壁部２３と同一の素材で形成した例を説明したがこれに限定されない。例えば、ポケット部２３ｂを粘着性部材や帯電性部材等の埃を吸着し易い部材で構成することもできる。これによって、埃をより捕捉し易くなる。
【産業上の利用可能性】
【００２３】
本発明に係る光電式煙感知器は、煙を検知する煙センサ、煙を検知して警報を発する警報器、煙の濃度を測定する測定器等に適用することができる。
【図面の簡単な説明】
【００２４】
【図１】本実施形態に係る煙検知部の平断面図
【図２】本実施形態に係る火災警報器の模式図
【符号の説明】
【００２５】
１      火災警報器
２      煙検知部
２１    ハウジング
２３    壁部
２３ａ  壁部
２３ｂ  ポケット部
２５    発光素子（発光部）
２６    受光素子（受光部）
【図１】
0005117820.tif 000002
【図２】
0005117820.tif 000003